(57)【要約】【課題】アンテナの位置を精確に調整することができるアンテナ用ブラケットを提供すること。【解決手段】本発明に係るアンテナ用ブラケット１００は、台座１０と、前記台座１０にスライド可能に装着されるスライド板２０と、前記スライド板２０に固定され且つ伸縮可能な支柱３０と、アンテナを装着するための積載ブロック４０と、駆動モジュール５０及び赤外線スイッチモジュール６０と、を備え、前記積載ブロック４０は、前記支柱３０の上端に固定され、前記駆動モジュール５０は、前記台座１０に設けられ、且つ前記スライド板２０を駆動して、前記台座１０に対してスライドさせ、前記赤外線スイッチモジュール６０は、前記台座１０及び前記スライド板２０に設けられ、且つ前記スライド板２０の前記台座１０に対するスライド位置を規制し、位置決めする。【選択図】図１
2013090329.tif 000002
【特許請求の範囲】
【請求項１】
台座と、前記台座にスライド可能に装着されるスライド板と、前記スライド板に固定され、且つ伸縮可能な支柱と、アンテナを装着するための積載ブロックと、駆動モジュールと、赤外線スイッチモジュールと、を備え、前記積載ブロックは、前記支柱の上端に固定され、前記駆動モジュールは、前記台座に設けられ、且つ前記スライド板を駆動して、前記台座に対してスライドさせ、前記赤外線スイッチモジュールは、前記台座及び前記スライド板に設けられ、且つ前記スライド板の前記台座に対するスライド位置を規制し、位置決めすることを特徴とするアンテナ用ブラケット。
【請求項２】
前記台座は、底面及び頂面を備え、前記底面の四つの隅にはそれぞれ、支持脚が設けられ、前記頂面には、２つのスライド溝が前記台座の長さ方向に沿って、互いに平行して設けられ、前記台座全体は、四つの前記支持脚によって支持されて、水平状態に保たれることを特徴とする請求項１に記載のアンテナ用ブラケット。
【請求項３】
前記スライド板は、上面及び下面を備え、前記下面には、四つのスライド車輪が間隔をあけて設けられ、四つの前記スライド車輪は、２つの前記スライド溝と組み合わさり、前記スライド板の前記台座に対する水平移動を実現することを特徴とする請求項１に記載のアンテナ用ブラケット。
【請求項４】
前記支柱は、伸縮可能であり、且つ長さが各々等しい三段式の円柱体であり、相隣する２段の円柱体の接続部位には、スピンボタンがそれぞれ設けられ、このスピンボタンを締める、又は緩めることによって、前記支柱全体の長さを調整することを特徴とする請求項１に記載のアンテナ用ブラケット。
【請求項５】
前記積載ブロックの一端には、垂直貫通孔及び水平貫通孔が設けられ、該垂直貫通孔及び水平貫通孔にアンテナを積載させることで、アンテナを垂直極性又は水平極性にすることを特徴とする請求項１に記載のアンテナ用ブラケット。
【請求項６】
前記駆動モジュールは、モーターと、２つのホイール及び伝動ベルトと、を備え、前記伝動ベルトの一端は、前記モーターに巻き取られ、前記伝動ベルトの他端は、一端のホイールを通過して、前記モーターから遠く離れている他端のホイールに絡められ、前記スライド板の下面は、前記伝動ベルトに連結され、前記モーターが、前記伝動ベルトを駆動して移動させると、前記スライド板は連動して、前記台座上で水平移動することを特徴とする請求項１に記載のアンテナ用ブラケット。
【請求項７】
前記赤外線スイッチモジュールは、２対の赤外線リミットスイッチ及び１対の赤外線位置決めスイッチを備え、２対の前記赤外線リミットスイッチは、前記スライド溝の延伸方向の対向する両端にそれぞれ設けられ、１対の前記赤外線位置決めスイッチは、２対の前記赤外線リミットスイッチの間に設けられることを特徴とする請求項１に記載のアンテナ用ブラケット。
【請求項８】
各々の対の赤外線リミットスイッチは、前記台座の頂面で、対称的に設けられた２つの第一支持片及び該第一支持片に設けられた２つの第一感応点を備え、２つの前記第一感応点は、互いに対称であり、且つ互いに感応し、前記スライド板は、２つの前記第一感応点の間をスライドすると、前記赤外線リミットスイッチは、前記モーターの駆動を停止して、前記スライド板のスライドを停止することを特徴とする請求項７に記載のアンテナ用ブラケット。
【請求項９】
前記赤外線位置決めスイッチは、対称的に設置された２つの第二支持片と、該第二支持片に設けられた２つの第二感応点と、前記スライド板の上面に設けられた第三支持片と、前記第三支持片に間隔をあけて設けられた複数の第三感応点と、を備え、２つの前記第二感応点は、互いに対称であり、且つ互いに感応し、前記第三感応点は、それ自身が２つの前記第二感応点と互いに感応する位置に移動すると、前記赤外線位置決めスイッチは、前記モーターの駆動を停止して、前記スライド板のスライドを停止することを特徴とする請求項７に記載のアンテナ用ブラケット。
【請求項１０】
前記第三感応点は、前記アンテナ用ブラケットにより積載された送信アンテナと、固定された受信アンテナとの相対距離に基づいて、間隔をあけて設けられることを特徴とする請求項９に記載のアンテナ用ブラケット。
【発明の詳細な説明】
【技術分野】
【０００１】
本発明は、アンテナに用いられるブラケットに関するものである。
【背景技術】
【０００２】
電磁妨害（Ｅｌｅｃｔｒｏｍａｇｎｅｔｉｃ  Ｉｎｔｅｒｆｅｒｅｎｃｅ：ＥＭＩ）高周波テストを行う場合、通常、先ずテスト地点の合格性を検証するために、アンテナに対して、サイト電圧定在波比（Ｓｉｔｅ  Ｖｏｌｔａｇｅ  Ｓｔａｎｄｉｎｇ−Ｗａｖｅ  Ｒａｔｉｏ：ＳＶＳＷＲ）を測定する。この測定過程において、送信アンテナ及び受信アンテナを、レベル極性或いは垂直極性に同時に放置して、測定しなければならない。
【０００３】
また、レベル極性の測定から垂直極性の測定に切り換える際に、前記送信アンテナ及び受信アンテナの高さを同時に調整する必要があり、前記レベル極性或いは垂直極性の測定を行う際も、送信アンテナ及び受信アンテナの互いに対する位置を頻繁に調整する必要がある。そのため、現在受信アンテナを固定して、送信アンテナの送信点の位置のみを調整するのが一般的な方法であるが、毎度調整した後の送信アンテナと受信アンテナとの距離は精確でなければならず、毎度送信アンテナの位置を調整する際に、操作員の手作業によって、送信アンテナと受信アンテナとの距離を測定する方法では、データに誤差が生じ易い。
【発明の概要】
【発明が解決しようとする課題】
【０００４】
以上の問題点に鑑みて、本発明は、アンテナの位置を精確に調整することができるアンテナ用ブラケットを提供することを目的とする。
【課題を解決するための手段】
【０００５】
上記の課題を解決するために、本発明に係るアンテナ用ブラケットは、台座と、前記台座にスライド可能に装着されるスライド板と、前記スライド板に固定され、且つ伸縮可能な支柱と、アンテナを装着するための積載ブロックと、駆動モジュールと、赤外線スイッチモジュールと、を備え、前記積載ブロックは、前記支柱の上端に固定され、前記駆動モジュールは、前記台座に設けられ、且つ前記スライド板を駆動して、前記台座に対してスライドさせ、前記赤外線スイッチモジュールは、前記台座及び前記スライド板に設けられ、且つ前記スライド板の前記台座に対するスライド位置を規制し、位置決めする。
【発明の効果】
【０００６】
従来の技術とは異なり、本発明のアンテナ用ブラケットは、アンテナを前記積載ブロックに装着して、前記積載ブロックにおいて、アンテナの水平極性及び垂直極性の切り換えを行うことができ、前記支柱と前記スピンボタンとの組み合せによって、前記アンテナの高さも調節することができる。また、前記スライド板を、前記台座の前記スライド溝に対してスライドさせることで、前記アンテナを水平方向に移動させ、且つ前記赤外線位置決めスイッチを介して、前記アンテナの水平位置を精確に調整することができる。従って、本発明のアンテナ用ブラケットは、アンテナの位置を精確に、且つ柔軟に調整することができる。
【図面の簡単な説明】
【０００７】
【図１】本発明の実施形態に係るアンテナ用ブラケットの斜視図である。
【図２】図１に示したアンテナ用ブラケットの分解図である。
【発明を実施するための形態】
【０００８】
図１及び図２に示すように、本発明の実施形態に係るアンテナ用ブラケット１００は、台座１０と、前記台座１０に設けられるスライド板２０と、前記スライド板２０の上面に設けられる支柱３０と、前記支柱３０の頂部に設けられる積載ブロック４０と、前記台座１０に設けられる駆動モジュール５０と、前記台座１０及び前記スライド板２０にそれぞれ設けられる赤外線スイッチモジュール６０と、を備える。
【０００９】
前記台座１０は平板状であり、且つ底面１０１及び頂面１０２を備える。前記底面１０１の四つの隅にはそれぞれ、１つの支持脚１１が設置されている。前記台座１０は、テーブル等の上面で、四つの前記支持脚１１によって支持され、且つ水平状態を保つ。前記頂面１０２上の長さ方向には、互いに平行する２つのスライド溝１２が設けられている。
【００１０】
前記スライド板２０は略矩形の平板状であり、且つ上面２０１及び下面２０２を備える。前記スライド板２０の前記上面２０１の中央には、１つの固定孔２０５が設けられている。また、前記下面２０２には、四つのスライド車輪２２が互いに間隔をあけて、且つ対称的に設けられている。四つの前記スライド車輪２２は、前記台座１０の２つの前記スライド溝１２と組み合わせることで、前記スライド板２０の前記台座１０に対するスライドを実現する。また、前記スライド板２０は、前記台座１０により支持され、且つ前記台座１０に重ねて設けられる。前記スライド板２０に外力が加わると、四つの前記スライド車輪２２は、前記スライド板２０を動かして、前記台座１０の頂面１０２上において、長軸方向に沿ってスライドする。
【００１１】
前記支柱３０は、外周面に少なくとも２つの段差部が形成されている円柱体である。前記支柱３０の下端３０１を、前記固定孔２０５に係止させて、前記支柱３０の全体を前記スライド板２０の前記上面２０１の中央部に、且つ前記スライド板２０に対して垂直に立設させる。前記支柱３０は、伸縮可能であり、且つ長さが各々等しい三段式の円柱体構造である。前記支柱３０を伸縮させて１つの短くてより太い円柱体にしても良いし、三つの円柱体をどれも最大まで伸ばして、最長にしても良い。また、相隣する２つの円柱体の連接部位は段差状を呈し、この連接部位の近傍には、１つのスピンボタン３２がそれぞれ設けられている。このスピンボタン３２を締める、又は緩めることによって、前記支柱３０全体の長さを調節する。
【００１２】
前記積載ブロック４０は、前記支柱３０の上端３０２に連接して固定される。前記積載ブロック４０の一端には、互いに直交する垂直貫通孔４２及び水平貫通孔４４が設けられている。前記垂直貫通孔４２は、アンテナ（図示せず）を積載して、該アンテナを垂直極性にすることができる。前記水平貫通孔４４は、アンテナを積載して、該アンテナを水平極性にすることができる。前記支柱３０全体の長さが調節可能であるため、積載ブロック４０は、前記アンテナの前記スライド板２０或いは前記台座１０に対して、高さを調節することができる。
【００１３】
前記駆動モジュール５０は、モーター５２と、２つのホイール５４及び伝動ベルト５６と、を備え、前記モーター５２は、前記台座１０の一端に設けられる。２つの前記ホイール５４は、前記台座１０の前記頂面１０２における対向する両端にそれぞれ設けられる。前記伝動ベルト５６の一端は、前記モーター５２に巻き取られ、前記伝動ベルト５６の他端は、前記台座１０の一端の１つのホイール５４を通過して、前記モーター５２から遠く離れている前記台座１０の他端のもう１つのホイール５４に絡められる。この際、前記スライド板２０の前記下面２０２は、前記伝動ベルト５６に連接されている。前記モーター５２が駆動して、前記伝動ベルト５６を移動させると、前記スライド板２０は連動されて、前記台座１０の長さ方向に沿って、水平移動する。この際、前記スライド板２０の底部に設けられた四つの前記スライド車輪２２は、前記台座１０の前記スライド溝１２に沿ってスライドする。
【００１４】
前記赤外線スイッチモジュール６０は、２対の赤外線リミットスイッチ６２及び１対の赤外線位置決めスイッチ６４を備える。２対の前記赤外線リミットスイッチ６２は、前記台座１０の前記スライド溝１２の延伸方向の両端にそれぞれ設けられる。各々の対の赤外線リミットスイッチ６２は、互いに対称的に設置された２つの第一支持片６２２と、各々の前記第一支持片６２２の上端にそれぞれ設けられた２つの第一感応点６２４と、を備える。また、各々の対の赤外線リミットスイッチ６２において、１つの第一支持片６２２は、一方側の前記スライド溝１２の外側に立設され、もう１つの前記第一支持片６２２は、他方側の前記スライド溝１２の外側に立設される。
【００１５】
前記一方側の前記第一感応点６２４と前記他方側の前記第一感応点６２４は、互いに感応することができるが、この２つの第一感応点６２４を接ぐ直線が、障害物によって遮断されると、２つの前記第一感応点６２４は互いに感応できなくなる。従って、前記赤外線リミットスイッチ６２は、前記スライド板２０が、前記台座１０の長さ方向に沿って、２つの前記第一感応点６２４の間をスライドすると、前記モーター５２の駆動を停止して、前記スライド板２０が、２つの前記スライド溝１２の端部を引き続きスライドして、前記台座１０から脱出することを防止する。
【００１６】
前記赤外線位置決めスイッチ６４は、前記台座１０の前記頂面１０２上で、互いに対称に設けられた２つの第二支持片６４２と、前記スライド板２０の前記上面２０１に設けられた第三支持片６４６と、を備え、各々の前記第二支持片６４２の上端には、第二感応点６４４が設けられている。また、前記赤外線位置決めスイッチ６４は、２対の前記赤外線リミットスイッチ６２の間に位置する。１つの前記第二支持片６４２は、一方側の前記スライド溝１２の外側に位置し、もう１つの前記第二支持片６４２は、他方側の前記スライド溝１２の外側に位置する。２つの第二感応点６４４は、互いに感応することができる。また、前記第三支持片６４６には、複数の第三感応点６４８が間隔をあけて設けられている。
【００１７】
前記スライド板２０は、前記第二支持片６４２の位置を滑り越え、且つ各々の前記第三感応点６４８が、２つの前記第二感応点６４４の間（具体的には、２つの前記第二感応点６４４と、前記第三感応点６４８とが互いに感応する位置）を通過すると、スライドを停止する、つまり、前記赤外線位置決めスイッチ６４が、前記モーター５２の駆動を停止する。これにより、前記積載ブロック４０に積載されたアンテナの位置決めを行うことができる。
【００１８】
本実施形態において、場所電圧定在波比を測定する場合、受信アンテナを固定し、前記アンテナ用ブラケット１００を使用して、送信アンテナを積載する。複数の前記第三感応点６４８は、異なる測定距離（即ち、前記積載ブロック４０により積載されている送信アンテナと、固定されている受信アンテナとの相対距離）に基づいて、間隔をあけて設けられる。前記スライド板２０は、各々の前記第三感応点６４８が、２つの前記第二感応点６４４の間を経過すると、スライドを停止して、前記積載ブロック４０により積載されたアンテナを位置決めする。これにより、アンテナを水平移動方向において精確に位置決めすることができる。
【００１９】
本発明のアンテナ用ブラケット１００は、アンテナを前記積載ブロック４０に装着して、前記積載ブロック４０において、アンテナの水平極性及び垂直極性の切り換えを行うことができ、前記支柱３０と前記スピンボタン３２との組み合せによって、前記アンテナの高さも調節することができる。また、前記スライド板２０を、前記台座１０の前記スライド溝１２に対してスライドさせることで、前記アンテナを水平方向に移動させ、且つ前記赤外線位置決めスイッチ６４を介して、前記アンテナの水平位置を精確に調整することができる。従って、本発明のアンテナ用ブラケット１００は、アンテナの位置を精確に、且つ柔軟に調整することができる。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２１】
１０      台座
１１      支持脚
１２      スライド溝
２０      スライド板
２２      スライド車輪
３０      支柱
３２      スピンボタン
４０      積載ブロック
４２      垂直貫通孔
４４      水平貫通孔
５０      駆動モジュール
５２      モーター
５４      ホイール
５６      伝動ベルト
６０      赤外線スイッチモジュール
６２      赤外線リミットスイッチ
６４      赤外線位置決めスイッチ
１００    アンテナ用ブラケット
１０１    底面
１０２    頂面
２０１    上面
２０２    下面
２０５    固定孔
３０１    下端
３０２    上端
６２２    第一支持片
６２４    第一感応点
６４２    第二支持片
６４４    第二感応点
６４６    第三支持片
６４８    第三感応点
【図１】
2013090329.tif 000003
【図２】
2013090329.tif 000004